(57)【要約】【課題】扉を開閉する際に、吊元側の仕切パネルと扉縁の間にある蝶番の部分など、および戸先側の仕切パネルと扉縁の間にある隙間などで、仕切パネルと扉縁の間に指が挟まれたとしても、重篤な怪我などをしないようにし、全体として極めて安全に構成されたトイレブースまたはシャワーブース用扉の開閉構造を提供すること。【解決手段】扉吊元部と戸先部のそれぞれにおいて袖壁エッジ部材、扉エッジ部材を付設してなるトイレブースまたはシャワーブース用扉の開閉構造において、前記扉吊元部と戸先部のそれぞれで、対面する前記袖壁エッジ部材と前記扉エッジ部材のいずれか一方または双方を、袖壁または扉の上端から下端まで連続的に、弾性材料で形成するとともに、その内部に上端から下端まで延在する空洞部を形成し、外力によって弾性変形が可能な構造に構成する。【選択図】図１
2013124485.tif 000002
【特許請求の範囲】
【請求項１】
扉吊元部と戸先部のそれぞれにおいて袖壁エッジ部材、扉エッジ部材を付設してなるトイレブースまたはシャワーブース用扉の開閉構造において、前記扉吊元部と戸先部のそれぞれで、対面する前記袖壁エッジ部材と前記扉エッジ部材のいずれか一方または双方を、袖壁または扉の上端から下端まで連続的に、弾性材料で形成するとともに、その内部に上端から下端まで延在する空洞部を形成し、外力によって弾性変形が可能な構造に構成してなることを特徴とするトイレブースまたはシャワーブース用扉の開閉構造。
【請求項２】
前記扉吊元部と前記戸先部のそれぞれにおいて、扉を閉めたときでの前記袖壁エッジ部材と前記扉エッジ部材のうち、前記弾性材料からなる袖壁エッジ部材と扉エッジ部材を除いた状態で、該扉と該袖壁を成す非弾性である部材間の水平方向の最短間隙ａが、５〜３０ｍｍであることを特徴とする請求項１記載のトイレブースまたはシャワーブース用扉の開閉構造。
【請求項３】
前記袖壁エッジ部材と扉エッジ部材が、その水平方向の断面形状において、前記対面する部分において、該扉エッジ部材が凸状の外形線を有し、該袖壁エッジ部材が凹状の外形線を有するものであることを特徴とする請求項１または２記載のトイレブースまたはシャワーブース用扉の開閉構造。
【請求項４】
前記弾性材料が、エチレン・プロピレンゴムであることを特徴とする請求項１〜３のいずれかに記載のトイレブースまたはシャワーブース用扉の開閉構造。
【請求項５】
前記扉を外側に引くことによって該扉が前記袖壁エッジ部材の戸当たり部を押圧し、該押圧力によって該袖壁エッジ部材を変形させることにより、該扉を外側に開けることを可能にしたことを特徴とする請求項１〜４のいずれかに記載のトイレブースまたはシャワーブース用扉の開閉構造。
【発明の詳細な説明】
【技術分野】
【０００１】
本発明は、トイレブースまたはシャワーブース用扉の開閉構造に関する。
【０００２】
さらに詳しくは、扉を開閉する際に、吊元側の仕切パネルと扉縁の間にある蝶番の部分など、および戸先側の仕切パネルと扉縁の間にある隙間などで、仕切パネルと扉縁の間に指が挟まれたとしても、重篤な怪我などをしないようにしたトイレブースまたはシャワーブース用扉の開閉構造に関する。
【背景技術】
【０００３】
従来、公共施設、商業施設、スポーツ施設等に設置されるトイレブース、シャワーブースの扉の開閉構造は、厚さが１０〜４５ｍｍの仕切パネルに蝶番を使用して、同様の厚さの扉を取付けたものが代表的なものである。
【０００４】
図６（ａ）〜（ｃ）は、その構造を不都合点とともに示して説明するものであり、仕切パネル１に扉２が蝶番により開閉可能に取付けられている。蝶番の取付けは、図６（ａ）に示したように、仕切パネル１の端部面と扉２の端部面とを突き合わせ状態にしたときに、その外側に、蝶番３の回転軸筒５が位置するようにして、蝶番３の羽根（仕切パネル側）４ａと、羽根（扉側）４ｂとが、それぞれ仕切パネル１と扉２にねじ止め（図示せず）により固定されている。
【０００５】
この開閉構造では、図６（ａ）に示した扉が閉じた状態では仕切パネルと扉の端部間に空隙ができることはないが、図６（ｂ）、図６（ｃ）に示したように、扉２を開けて（通常は、安全のために、ブース内部に向けて扉を押して開けるようにされている）、再び閉めるときに、仕切パネル１と扉２の端部間に空隙Ｓが生じ、扉２が閉まるにつれて空隙Ｓは狭まっていき、これが、図６（ｃ）にモデルを示したように、外にいる第三者の手指を挟んで怪我を負わせることがあった。特に、そうした事故は、上述したような公共施設、商業施設、スポーツ施設等を訪れた来訪者が、幼児から小中学生、さらに大人から高齢者まで世代を問わずに遭遇することも多く、危険が潜んでいることに注意が届かず、不注意に指を挟まれることにより思わぬ怪我をすることがあったのである。
【０００６】
このような不都合を解消するために、いくつかの提案がなされている。
【０００７】
例えば、扉を閉めたときに、扉と扉取付面との間に所要の隙間が形成される扉開閉構造であって、扉の取付側縁部と、この取付側縁部に対向する扉取付面側縁部に、それぞれ長尺の弾性部材を上下方向に取付け、扉を閉めたときに、それら縁部が互いに接触せずかつ扉の内外から相互に見通す隙間がないという扉の指詰め防止構造が提案されている（特許文献１）。
【０００８】
また、逆に、扉を閉めたときに、扉と扉取付面との間に指先が挿入され得るほどの（例えば２０〜５０ｍｍ）大きな間隙（クリアランス）を生ずるようにして、手指がたとえ挟まれても怪我をしないようにした扉の取付け構造に関する提案がされており（特許文献２、段落００１３）、さらに、該特許文献２においては、その大きな間隙（クリアランス）自体を外側から隠ぺいする、基板とゴムなどの弾性を持つ材質からなる閉止部材をドア枠の蝶番側縦枠に接着剤や両面テープなどで固着して設けることが提案されている（特許文献２、段落００１８）。
【０００９】
また、長方形面を有するドア装置本体の両側面の少なくとも一方の側面に切り欠きを形成し、該切り欠きに中空状の弾性体を付設した指挟み安全機能を有する開き戸タイプのドア装置が提案されている（特許文献３）。
【００１０】
しかし、特許文献１のものは、扉吊元における扉取付面と扉の間にできる隙間に指を挟める場合だけを想定したものであって、そうした扉の開閉構造の全体に対して十分な検討がなされているものとは言い難いものであった。
【００１１】
また、特許文献２のものは、クリアランスを大きくして、挟まれても怪我をしないようにするとの技術思想によるものであるが、可動して物を挟むような動きをする以上、クリアランスが大きいとしても、完全に挟まれることなく安全であるとは言い難いものであり、改善が望まれるものであった。
【００１２】
また、特許文献３に記載の発明は、長方形面を有する扉本体の扉吊元側および戸先側の、少なくともその一方の側面に切り欠きを形成して、該切り欠きに中空状の弾性体を付設するというものであり、袖壁、扉からなる扉開閉構造の全体に対して十分な検討がなされているものとは言い難いものであった。
【先行技術文献】
【特許文献】
【００１３】
【特許文献１】特開２００７−８５０９７号公報
【特許文献２】特開平１０−１８４１８２号公報
【特許文献３】特開２００７−６３７７６号公報
【発明の概要】
【発明が解決しようとする課題】
【００１４】
上述したような点に鑑み、本発明の目的は、扉を開閉する際に、吊元側の仕切パネルと扉縁の間にある蝶番の部分など、および戸先側の仕切パネルと扉縁の間にある隙間などで、仕切パネルと扉縁の間に指が挟まれたとしても、重篤な怪我などをしないようにし、全体として極めて安全に構成されたトイレブースまたはシャワーブース用扉の開閉構造を提供することにある。
【課題を解決するための手段】
【００１５】
上述した目的を達成する本発明のトイレブースまたはシャワーブース用扉の開閉構造は、以下の（１）の構成を有する。
（１）扉吊元部と戸先部のそれぞれにおいて袖壁エッジ部材、扉エッジ部材を付設してなるトイレブースまたはシャワーブース用扉の開閉構造において、前記扉吊元部と戸先部のそれぞれで、対面する前記袖壁エッジ部材と前記扉エッジ部材のいずれか一方または双方を、袖壁または扉の上端から下端まで連続的に、弾性材料で形成するとともに、その内部に上端から下端まで延在する空洞部を形成し、外力によって弾性変形が可能な構造に構成してなることを特徴とするトイレブースまたはシャワーブース用扉の開閉構造。
【００１６】
また、かかる本発明のトイレブースまたはシャワーブース用扉の開閉構造において、以下の（２）〜（５）のいずれかの構成を有することが好ましい。
（２）前記扉吊元部と前記戸先部のそれぞれにおいて、扉を閉めたときでの前記袖壁エッジ部材と前記扉エッジ部材のうち、前記弾性材料からなる袖壁エッジ部材と扉エッジ部材を除いた状態で、該扉と該袖壁を成す非弾性である部材間の水平方向の最短間隙ａが、５〜３０ｍｍであることを特徴とする上記（１）記載のトイレブースまたはシャワーブース用扉の開閉構造。
（３）前記袖壁エッジ部材と扉エッジ部材が、その水平方向の断面形状において、前記対面する部分において、該扉エッジ部材が凸状の外形線を有し、該袖壁エッジ部材が凹状の外形線を有するものであることを特徴とする上記（１）または（２）記載のトイレブースまたはシャワーブース用扉の開閉構造。
（４）前記弾性材料が、エチレン・プロピレンゴムであることを特徴とする上記（１）〜（３）のいずれかに記載のトイレブースまたはシャワーブース用扉の開閉構造。
（５）前記扉を外側に引くことによって該扉が前記袖壁エッジ部材の戸当たり部を押圧し、該押圧力によって該袖壁エッジ部材を変形させることにより、該扉を外側に開けることを可能にしたことを特徴とする上記（１）〜（４）のいずれかに記載のトイレブースまたはシャワーブース用扉の開閉構造。
【発明の効果】
【００１７】
請求項１にかかる本発明のトイレブースまたはシャワーブース用扉の開閉構造によれば、扉を開閉する際に、吊元側の仕切パネルと扉縁の間にある蝶番の部分等、および戸先側の仕切パネルと扉縁の間にある隙間等で、仕切パネルと扉縁の間に指が挟まれることが少なく、また、たとえ挟まれたとしても、重篤な怪我などをしないようにし、全体として極めて安全に構成されたトイレブースまたはシャワーブース用扉の開閉構造が提供される。
【００１８】
また、請求項２〜４のいずれかにかかる本発明のトイレブースまたはシャワーブース用扉の開閉構造によれば、請求項１にかかる本発明により得られる上述した効果を、さらにより明確かつ高度に有するトイレブースまたはシャワーブース用扉の開閉構造が提供される。
【００１９】
また、請求項５にかかる本発明のトイレブースまたはシャワーブース用扉の開閉構造によれば、扉を外側に向けて開けることができるので、緊急時などで外側にドアを開けて必要な措置をとりたいときなどでも対応することができる。
【図面の簡単な説明】
【００２０】
【図１】（ａ）、（ｂ）は、本発明のトイレブースまたはシャワーブース用扉の開閉構造を説明する概略モデル図であり、（ａ）は平面図、（ｂ）は正面図である。
【図２】（ａ）、（ｂ）は、本発明のトイレブースまたはシャワーブース用扉の開閉構造を説明する概略平面図であり、扉吊元における構造の１例を示したものである。
【図３】本発明のトイレブースまたはシャワーブース用扉の開閉構造を説明する概略平面図であり、戸先部における構造の１例を示したものである。
【図４】（ａ）〜（ｅ）は、いずれも本発明のトイレブースまたはシャワーブース用扉の開閉構造の各種態様例を説明する概略平面図である。
【図５】（ａ）〜（ｃ）は、本発明のトイレブースまたはシャワーブース用扉の開閉構造を説明する概略平面図であり、戸先部における構造の１例を示し、特に通常は内側に開けて使用する扉について、緊急時には外側に扉を開けることができることを説明したものである。
【図６】（ａ）〜（ｃ）は、従来のブース用扉の開閉構造とその問題点を説明する概略平面図である。
【発明を実施するための形態】
【００２１】
以下、更に詳しく本発明のトイレブースまたはシャワーブース用扉の開閉構造について、説明する。
【００２２】
図１（ａ）、（ｂ）は、本発明のトイレブースまたはシャワーブース用扉の開閉構造を説明する概略モデル図であり、（ａ）は平面図、（ｂ）は正面図であり、トイレブースまたはシャワーブース１０は、扉１３と袖壁１４とで扉の開閉構造を構成している。
【００２３】
扉の開閉構造は扉吊元部１１と戸先部１２を有し、扉吊元部１１と戸先部１２のそれぞれにおいて、扉１３と袖壁１４とが対面する。
【００２４】
本発明では、特に扉吊元部１１と戸先部１２のそれぞれにおいて袖壁エッジ部材１５Ａ、１５Ｂ、扉エッジ部材１６Ａ、１６Ｂを付設し、その互いに対面する前記袖壁エッジ部材１５Ａと前記扉エッジ部材１６Ａ、同じく互いに対面する前記袖壁エッジ部材１５Ｂと前記扉エッジ部材１６Ｂにおいて、それぞれ、袖壁エッジ部材と扉エッジ部材のいずれか一方または双方を、袖壁または扉の上端から下端まで連続的に、弾性材料で形成するとともに、その内部に上端から下端まで延在する空洞部１７を形成し、該空洞部１７の存在によっても外力によって凹みやすくされていて、容易に弾性変形が可能な構造に構成しているものである。
【００２５】
すなわち、袖壁エッジ部材１５Ａと扉エッジ部材１６Ａのいずれか一方または双方を上述したとおりの弾性材料で構成し、かつ、袖壁エッジ部材１５Ｂと扉エッジ部材１６Ｂのいずれか一方または双方を上述したとおりの弾性材料で構成する。
【００２６】
このように構成することにより、扉吊元部１１と戸先部１２のそれぞれにおいて、袖壁エッジと扉エッジで形成される空間Ｓのある程度が弾性材料で占められることになるので、指を挟む危険が事前に予知され得て指を挟む危険が少なくなるとともに、たとえ挟まれたとしても、弾性材料で挟まれることになるので重篤な受傷をすることが効果的に防止される。
【００２７】
ちなみに、従来のドア開閉構造では、袖壁エッジ部材と扉エッジ部材を設ける場合、その材質は、一般にアルミニウム等の硬質な金属材料、木製材料あるいは樹脂材料から形成するのが通常であり、その目的は、専ら隙間を塞いで目隠し効果を持たせることが主なものである。
【００２８】
本発明において、「袖壁または扉の上端から下端まで連続的に」とは、上端から下端まで、連続的に、途切れることなく、弾性材料で形成されたエッジ部材が存在することをいう。上端から下端まで、該エッジ部材が単一の一体部材で形成されていてもよいが、複数の部材で構成されていて、それらが組み合わされて連続的にされていてもよい。
【００２９】
弾性材料とは、弾性特性を有する材料をいい、ゴム系のもの、スポンジなど発泡樹脂系のものなどのいずれでもよい。そうした弾性材料で形成される袖壁エッジ部材と扉エッジ部材は、その内部に上端から下端まで延在する空洞部が形成されており、材料自体の弾性特性とその空頭部が存在する形状に基づいて、外力、例えば手指によって押されること等によって、弾性変形が可能な構造に構成されている。このため、手指が挟まれたとしても重篤な受傷をすることがなくなるばかりか、軽度な切り傷、擦り傷等を受けることも防止することができる。
【００３０】
図２（ａ）、（ｂ）は、扉吊元部における構造を示し、袖壁エッジ部材１５Ａと、扉エッジ部材１６Ａのうち、袖壁エッジ部材１５Ａを本発明にかかる弾性変形が可能な構造に構成した例を示したものである。Ａは扉のヒンジ中心軸であり、図２（ａ）は、扉１３を開けて、次にこれから閉めようとする状態（矢印）を示している。この図示の状態は、扉１３を開けたことによって生じた空間Ｓに手指Ｆが入りこんで、弾性変形する袖壁エッジ部材１５Ａをつぶした状態（空洞１７もつぶれている）であり、まだ挟められた状態には至っていない。ただし、この状態でも、指先でエッジ部材１５Ａをつぶしたという異常を感知することもできるので、すぐに手指を引っ込めて、挟まることを未然に防止できる場合も期待できるものである。
【００３１】
図２（ｂ）は、手指を引っ込めることをせずに、扉１３が閉まり、手指Ｆが袖壁エッジ部材１５Ａと扉エッジ部材１６Ａに挟まれてしまった状態を示している。たとえ、この挟まれた状態でも、本発明の扉開閉構造によれば、袖壁エッジ部材１５Ａを弾性材料で形成していることにより、受傷することはほとんどない。
【００３２】
したがって、袖壁エッジ部材１５Ａが空間Ｓ中に占めているため、図２（ａ）の状態になることも、まず少ないほか、万一、挟まったとしても重篤な怪我をすることは少ない。
【００３３】
図３は、戸先部における構造の例を示し、袖壁エッジ部材１５Ｂと、扉エッジ部材１６Ｂのうち、袖壁１４の袖壁エッジ部材１５Ｂを、本発明にかかる弾性変形が可能な構造に構成した態様を示したものである。こうした構造にすることにより、戸先部分でも指を挟み受傷することが良好に防止できる。１８は袖壁エッジ部材１５Ｂのブース外側の先端部を示したものであり、主として目隠しのために、該先端部１８をブース内側の先端部１９より扉１３側に出っ張るようにして形成しているものである。従来、アルミニウムなどの硬質金属で該袖壁エッジ部材１５Ｂを形成したときは、該先端部１８で、出入者がストッキング等を引っ掛けることもあったが、この態様の本発明の扉の開閉構造においては引っ掛けることも少なくなる。
【００３４】
図４（ａ）〜（ｅ）は、いずれも本発明のトイレブースまたはシャワーブース用扉の開閉構造の各種態様例を説明する概略平面図である。
【００３５】
図４（ａ）は、扉吊元部における構造を示し、袖壁エッジ部材１５Ａと扉エッジ部材１６Ａのうち、袖壁エッジ部材１５Ａを本発明にかかる弾性変形が可能な構造に構成した例を示したものであり、図２に示したものと形状が類似しているものである。
【００３６】
同（ｂ）は、扉吊元部における構造を示し、袖壁エッジ部材１５Ａと扉エッジ部材１６Ａの双方を、本発明にかかる弾性変形が可能な構造に構成した例を示したものである。
【００３７】
同（ｃ）は、戸先部における構造を示し、扉エッジ部材１６Ｂと袖壁エッジ部材１５Ｂの双方を、本発明にかかる弾性変形が可能な構造に構成した例を示したものである。
【００３８】
同（ｄ）は、戸先部における構造を示し、扉エッジ部材１６Ｂと袖壁エッジ部材１５Ｂのうち、袖壁エッジ部材１５Ｂを、本発明にかかる弾性変形が可能な構造に構成した例を示したものである。
【００３９】
同（ｅ）は、扉吊元部における構造を示し、袖壁エッジ部材１５Ａと扉エッジ部材１６Ａのうち、袖壁エッジ部材１５Ａを本発明にかかる弾性変形が可能な構造に構成した例を示したものである。この態様は、（ａ）に示したものと形状が類似しているものであるが、特に袖壁エッジ部材１５Ａの水平方向の断面形状が、袖壁１４の中心線Ｌを対称軸線にして線対称に形成されているものである。このように形成すると、ブース内への視線を遮断することや、外からの光が射し込むことを防ぐことができ、さらに、袖壁エッジ部材１５Ａの取付け時に、左右を取り違えるということも防止できる。
【００４０】
図５は、戸先部における構造を示し、扉エッジ部材１６Ｂと袖壁エッジ部材１５Ｂのうち、袖壁エッジ部材１５Ｂを、本発明にかかる弾性変形が可能な構造に構成した例を示したものである。この態様のものは、通常時は、図５（ａ）に示したように内側に開閉されるものであるが、ブース内部で人が倒れたりした場合、その人の身体などで内側に扉１３を開くことが困難となっている場合がある。本発明のこの態様の開閉構造によれば、（ｂ）〜（ｃ）に示したように、扉１３を外側に引くことによって該扉１３が袖壁エッジ部材１５Ｂの戸当たり部２０を押圧し、その押圧力によって袖壁エッジ部材１５Ｂを変形させて扉１３を外側に開けることが可能であり、そうした緊急時にも、本発明の開閉構造によれば、特にブースを破壊することなく対応できる。
【００４１】
本発明において、扉吊元部１１と戸先部１０のそれぞれにおいて、扉を閉めたときでの袖壁エッジ部材と扉エッジ部材のうち、前述した弾性材料からなる袖壁エッジ部材と扉エッジ部材を除いた状態で、該扉と該袖壁を成す非弾性である部材間の水平方向の最短間隙ａが５〜３０ｍｍであることが本発明の効果を安定して得る上で好ましい。より好ましくはａが１０〜２０ｍｍであり、該ａは図４の（ａ）〜（ｅ）に示したとおりである。
【００４２】
扉エッジ部材と袖壁エッジ部材の取付けは、扉吊元部、戸先部のいずれでも、従来の硬質金属製のもので使われている方法で取付けでき、各図でも示したような形態のはめ込みスライド式などの取付け手法を採用できる。
【００４３】
また、扉エッジ部材と袖壁エッジ部材の素材は、ゴム系のものあるいはスポンジなど発泡樹脂系のものなどのいずれでもよいが、適度な硬さと弾性変形の容易さから、ゴム系のものが好ましく、エチレン・プロピレンゴムなどが最適材料である。
【００４４】
袖壁エッジ部材と扉エッジ部材の形状については、その水平方向の断面形状において、それらが対面する部分で、扉吊元部側と戸先部側のいずれにおいても、扉エッジ部材は凸状の外形線を有し、かつ、袖壁エッジ部材は凹状の外形線を有するもの（図４（ａ）、（ｂ）、（ｃ）、（ｅ）など）であることが好ましい。
【００４５】
本発明のトイレブースまたはシャワーブース用扉の開閉構造は、図２、図４（ａ）、（ｂ）、（ｅ）などに示したように、扉の中心軸線上に扉ヒンジの回転中心軸Ａが位置する態様のものに採用するのが、全体を薄く、全体の該形形状もシンプルにでき、安全性にも資するので好ましい。
【符号の説明】
【００４６】
１：仕切パネル
２：扉
３：蝶番
４ａ、４ｂ：蝶番の羽根
５：蝶番の回転軸筒
１０：トイレブースまたはシャワーブース
１１：扉吊元部
１２：戸先部
１３：扉
１４：袖壁
１５Ａ：袖壁エッジ部材（扉吊元側）
１５Ｂ：袖壁エッジ部材（戸先側）
１６Ａ：扉エッジ部材（扉吊元側）
１６Ｂ：扉エッジ部材（戸先側）
１７：空洞部
１８：袖壁エッジ部材１５Ｂのブース外側の先端部
１９：袖壁エッジ部材１５Ｂのブース内側の先端部
２０：袖壁エッジ部材の戸当たり部
Ａ：扉ヒンジの回転中心軸
Ｆ：手指
Ｓ：空隙
【図１】
2013124485.tif 000003
【図２】
2013124485.tif 000004
【図３】
2013124485.tif 000005
【図４】
2013124485.tif 000006
【図５】
2013124485.tif 000007
【図６】
2013124485.tif 000008